(57)【要約】【課題】歯ブラシを持ち替えることなく、また、姿勢を変えることなく、歯列全体について歯磨きを行うことのできる歯ブラシを提供する。【解決手段】握持用の柄部１１と、該柄部１１の先端部において該柄部と直角の方向に延長しかつ直角方向の軸まわりに回動可能にかつ柄部１１に対して着脱自在に取り付けられた連結（回動）軸１２ａと、該回動軸１２ａの先端部に該回動軸に一体的に取り付けられたヘッド部１２とを有し、該ヘッド部１２には、歯牙２０の上面に対向する上板１２1と該上板の前後において歯牙を挟むように前記上板１２1から下方に向けて延長する前後板１２2、１２3とを有し、これら上板及び前後板の内壁面に歯牙清掃用のブラシを有する。【選択図】図２
2005185397.tif 000002
【特許請求の範囲】
【請求項１】
握持用の柄部と該柄部の先端部において該柄部と直角の方向に延長しかつ直角方向の軸まわりに回動可能に取り付けられた回動軸と、該回動軸の先端部に該回動軸に一体的に取り付けられたヘッド部とを有し、該ヘッド部には、歯牙の上面に対向する上板と該上板の前後において歯牙を挟むように前記上板から下方に向けて延長する前後板とを有し、これら上板及び前後板の内壁面に歯牙清掃用のブラシを有することを特徴とするヘッド部回動式歯ブラシ。
【請求項２】
前記柄部及び前記回動軸に通孔を有し、該通孔を通して洗浄液或いは薬液を前記ヘッド部から放射するようにしたことを特徴とする請求項１に記載のヘッド部回動式歯ブラシ。
【請求項３】
前記回動軸は前記柄部に対して着脱自在であることを特徴とする請求項１又は２に記載のヘッド部回動式歯ブラシ。
【発明の詳細な説明】
【技術分野】
【０００１】
本発明は、ブラシが植毛されているヘッド部が歯ブラシ本体（柄部又は握持部）先端に着脱自在にかつ回動自在に取り付けられているヘッド部回動式の歯ブラシに関する。
【背景技術】
【０００２】
図５は、従来の歯ブラシの使用例を説明するための概略構成図で、図中、１０は歯ブラシ或いは電動歯ブラシで、該歯ブラシ１０は、周知のように、歯ブラシ本体部（柄部或いは握持部）１とブラシ部（植毛部）２とよりなり、ブラシ部２は本体部１に一体的に固定されて取り付けられている。２０は歯列で、歯磨き時、ブラシ部２を歯面に当てながら歯面に垂直方向（Ａ方向）に動かしながら全体をＢ方向に移動して歯列２０の略半分について歯磨きをし、次いで、歯ブラシ本体部１を持ち替えて、残りの半分について、前記と同様、歯面に垂直方向に動かしながら全体をＣ方向に移動し、この一連の動作によって歯列２０全体について歯磨きをする。
【発明の開示】
【発明が解決しようとする課題】
【０００３】
上述のように、従来の歯ブラシ或いは電動歯ブラシは、ブラシ部（植毛部）が本体部（柄部）に固定されているため、歯列の略中央部（正面部）で、歯ブラシを持ち替えて、歯ブラシの移動方向を変えなければならず、特に、他人（例えば、要介護高齢者）の歯牙を清掃しようとする時、（介護者は）自分の姿勢を変えなければならず、非常に不便であった。
【０００４】
本発明は、上述のごとき実情に鑑みてなされたもので、特に、歯ブラシを持ち替えることなく、また、姿勢を変えることなく、歯列全体について歯磨きを行うことのできる歯ブラシを提供することを目的としてなされたものである。
【課題を解決するための手段】
【０００５】
請求項１の発明は、握持用の柄部と該柄部の先端部において該柄部と直角の方向に延長しかつ直角方向の軸まわりに回動可能に取り付けられた回動軸と、該回動軸の先端部に該回動軸に一体的に取り付けられたヘッド部とを有し、該ヘッド部には、歯牙の上面に対向する上板と該上板の前後において歯牙を挟むように前記上板から下方に向けて延長する前後板とを有し、これら上板及び前後板の内壁面に歯牙清掃用のブラシを有することを特徴としたものである。
【０００６】
請求項２の発明は、請求項１の発明において、前記柄部及び前記回動軸に通孔を有し、該通孔を通して洗浄液或いは薬液を前記ヘッド部から放射するようにしたことを特徴としたものである。
【０００７】
請求項３の発明は、請求項１又は２の発明において、前記回動軸は前記柄部に対して着脱自在であることを特徴としたものである。
【発明の効果】
【０００８】
ブラシを有するヘッド部を握持部（柄部）に対して回動可能にし、該ヘッド部を歯列の上面に沿って移動可能としたので、歯列に沿って歯牙を清掃する場合等において、歯ブラシを持ち替える必要なく歯列全体を清掃することができ、また、他人の歯牙を清掃するような場合、自分の姿勢を変える必要がなく、歯牙の清掃を非常に楽に行うことができる。
【０００９】
また、ブラシを植毛したヘッド部が柄部に対して着脱可能であるので、ブラシ清掃時のヘッド部の交換が楽であり、更には、使用者ごとにヘッド部を変えることが容易で、非常に衛生的である。
更には、洗浄液（水）、薬液等を放射しながらの歯磨きが可能で、より効果的に歯牙を清掃することができる。
【発明を実施するための最良の形態】
【００１０】
図１は、本発明による歯ブラシの使用例を説明するための概略図で、図中、１０は本発明による歯ブラシを示し、歯ブラシ１０の握持部（柄部）１１はその先端部において略直角に曲げられ、この直角に曲げられた部分の軸心に対して、ヘッド部１２が回動自在に取り付けられている。本発明の場合、ヘッド部１２が柄部１１に対して回動するので、歯ブラシ１０の柄部１１を矢印Ａ方向に動かしながら全体をＢ方向に移動させることで歯面を清掃することができ、歯列２０の清掃位置によって、歯ブラシ１０を持ち替えたり、姿勢を変えたりする必要はなく、歯列の清掃を楽にすることができる。
【００１１】
図２は、本発明による歯ブラシ１０を分解して示す斜視図で、図中、１１は握持部（柄部）、１２はヘッド部で、該握持部１１とヘッド部１２は着脱可能であり、かつ、ヘッド部１２は握持部１１に対し回動可能となっている。具体的には、握持部（柄部）１１はその先端部１１ａにおいて略直角に曲げられ、この直角に曲げられた部分１１ａの軸方向にヘッド部１２を取り付けるための連結穴１１ｂが設けられており、この連結穴１１ｂに、ヘッド部１２に設けられた連結軸１２ａが着脱自在に挿入され、Ｏリング１３によって脱落しないように装着され、これによって、ヘッド部１２は握持部１１に対して着脱自在にかつ回動可能に取り付けられる。
【００１２】
ヘッド部１２は、歯牙２０の上に配置される上板１２1と、該上板１２1の前後において、歯牙２０を挟むように配置された前後板１２2、１２3とから成り、これら上板１２1及び前後板１２2、１２3の内側には、それぞれブラシ１４1、１４2、１４3が植毛されており、これらブラシ１４1、１４2、１４3がそれぞれ歯牙２０の上面、前面、及び、後面に接触して、歯牙２０の表面を清掃する。本発明によると、ヘッド部１２は、上板１２1及び前後板１２2、１２3により、略コの字状に形成され、下部及び両側部が開口しており、従って、上板１２1及び前後板１２2、１２3によって、歯牙２０を上方及び前後の３方から覆いながら、歯列に沿って移動することが可能であり、歯列に沿って移動する時に、ヘッド部１２が歯ブラシのＢ方向（図１参照）への移動に従って回動するので、握持部１１を矢印Ａ方向（図１参照）に動かしながら歯ブラシ全体をＢ方向（図１参照）に移動することで、歯列全体について、握持部１１を持ち替えることなく、また、姿勢を変えることなく清掃することができる。
【００１３】
図３は、本発明の他の実施例を説明するための要部断面図で、図中、１５は握持部（柄部）１１に設けられた通孔、１６はヘッド部１２の連結軸１２ａ及び上板１２1、前後板１２2、１２3等に設けられた通孔で、その他、図１及び図２に示した実施例と同様の作用をする部分には、図１及び図２の場合と同一の参照番号が付してある。而して、この実施例によると、通孔１５、１６を通して洗浄水や薬液を供給しながら歯牙の清掃をすることができ、より効果的に歯牙の清掃を行うことができる。
【００１４】
図４は、図３に示した歯ブラシの作用状態の一例を示す図で、図中、３０は洗浄水（又は薬液）ボトル３１及び該洗浄水（又は薬液）ボトル３１内の洗浄液又は薬液を送出するためのポンプ又はコンプレッサ等を有する装置本体で、該装置本体３０から送出された洗浄水又は薬液は給水（又は給液）チューブ３２を通して、図３に示した歯ブラシ１０に送給され、前述の通孔１５、１６を通して、ヘッド部１２より放射される。
【図面の簡単な説明】
【００１５】
【図１】本発明による歯ブラシの使用例を説明するための概略図である。
【図２】本発明による歯ブラシを分解して示す斜視図である。
【図３】本発明の他の実施例を説明するための要部断面図である。
【図４】図３に示した歯ブラシの作用状態の一例を示す図である。
【図５】従来の歯ブラシの使用例を説明するための概略構成図である。
【符号の説明】
【００１６】
１…歯ブラシ本体部、２…ブラシ部、３…装置本体、１０…歯ブラシ、１１…握持部（柄部）、１１ａ…先端部、１１ｂ…連結穴、１２…ヘッド部、１２1…上板、１２2…前板、１２3…後板、１２ａ…連結軸、１３…Ｏリング、１４1，１４2，１４3…ブラシ、１５，１６…通孔、２０…歯牙（歯列）、３０…装置本体、３１…洗浄水ボトル、３２…チューブ。
【図１】
2005185397.tif 000003
【図２】
2005185397.tif 000004
【図３】
2005185397.tif 000005
【図４】
2005185397.tif 000006
【図５】
2005185397.tif 000007